(57)【要約】【課題】移動通信端末機のユーザに転送情報をリアルタイムに正確に認識させる、転送情報をユーザに通知する移動通信端末機及びその通知方法を提供する。【解決手段】転送情報をユーザに通知する移動通信端末機は、ネットワークと信号を送受信する送受信部と、転送情報を含むデータを保存する保存部と、ユーザ識別モジュール（User Identity Module：ＵＩＭ）カードが差し込まれるＵＩＭ部と、前記送受信部、保存部及びＵＩＭ部を制御し、前記ＵＩＭ部に差し込まれたＵＩＭカードの加入情報に対応する転送情報を、前記送受信部を介して前記ネットワークから受信して前記保存部に保存されている転送情報を更新し、該更新した転送情報を示す通知情報をユーザに通知するように制御する制御部と、を含んで構成されたことを特徴とする。【選択図】図１
2007037130.tif 000002
【特許請求の範囲】
【請求項１】
ネットワークと信号を送受信する送受信部と、
転送情報を含むデータを保存する保存部と、
ユーザ識別モジュール（ＵＩＭ）カードが差し込まれるＵＩＭ部と、
前記送受信部、保存部及びＵＩＭ部を制御し、前記ＵＩＭ部に差し込まれたＵＩＭカードの加入情報に対応する転送情報を、前記送受信部を介して前記ネットワークから受信して前記保存部に保存されている転送情報を更新し、該更新した転送情報を示す通知情報をユーザに通知するように制御する制御部と、
を含んで構成されたことを特徴とする転送情報をユーザに通知する移動通信端末機。
【請求項２】
前記制御部は、登録メッセージ又は発信メッセージを前記ネットワークに送信するとき、前記登録メッセージ又は発信メッセージに、前記ＵＩＭ部に現在差し込まれているＵＩＭカードの加入情報を含ませて送信することを特徴とする請求項１に記載の転送情報をユーザに通知する移動通信端末機。
【請求項３】
前記制御部は、前記ＵＩＭカードの加入情報に対応する転送情報を含んで構成されたＡＣＫメッセージを、前記送受信部を介して前記ネットワークから受信することを特徴とする請求項２に記載の転送情報をユーザに通知する移動通信端末機。
【請求項４】
前記ＵＩＭカードの加入情報が、前記ＵＩＭカードの加入者識別番号を含んで構成された加入者識別パラメータであることを特徴とする請求項３に記載の転送情報をユーザに通知する移動通信端末機。
【請求項５】
前記制御部は、前記受信したＡＣＫメッセージに含まれた転送情報を抽出して前記保存部に保存することを特徴とする請求項３に記載の転送情報をユーザに通知する移動通信端末機。
【請求項６】
前記制御部は、前記保存部に転送情報を保存した後、直ちに、その転送情報を示す通知情報をユーザに通知することを特徴とする請求項５に記載の転送情報をユーザに通知する移動通信端末機。
【請求項７】
前記制御部が、転送時に、前記転送情報を示す通知情報をユーザに通知することを特徴とする請求項５に記載の転送情報をユーザに通知する移動通信端末機。
【請求項８】
前記通知情報が、転送タイプアイコン、転送案内文、又は転送音声案内のいずれか１つを含んで構成され、ディスプレイ表示又はスピーカ出力されてユーザに通知されることを特徴とする請求項６又は請求項７に記載の転送情報をユーザに通知する移動通信端末機。
【請求項９】
前記転送タイプアイコンが、多様なデザイン及び動きを有するエモーティコンに選択的に変更して設定されることを特徴とする請求項８に記載の転送情報をユーザに通知する移動通信端末機。
【請求項１０】
前記制御部は、前記ＵＩＭ部に差し込まれたＵＩＭカードの情報と、前記保存部に既に保存されたＵＩＭカードの情報とが同一である場合、前記ネットワークからの転送情報を受信せずに、前記保存部に保存された転送情報を示す通知情報をユーザに通知することを特徴とする請求項１に記載の転送情報をユーザに通知する移動通信端末機。
【請求項１１】
前記転送情報が、転送加入の有無及び転送方式に関する情報を含んで構成されたことを特徴とする請求項１に記載の転送情報をユーザに通知する移動通信端末機。
【請求項１２】
前記転送方式が、話中転送、無応答転送、無条件転送、非加入転送のいずれか１つであることを特徴とする請求項１１に記載の転送情報をユーザに通知する移動通信端末機。
【請求項１３】
キーパッド、マイクロホン、タッチスクリーンを含んで構成された入力手段と、
外部入力手段に接続されて信号が入力される入力端子と、
をさらに含んで構成されたことを特徴とする請求項１に記載の転送情報をユーザに通知する移動通信端末機。
【請求項１４】
ディスプレイパネル、スピーカを含んで構成された出力手段と、
外部ディスプレイ装置に接続されて信号を出力する出力端子と、
をさらに含んで構成されたことを特徴とする請求項１に記載の転送情報をユーザに通知する移動通信端末機。
【請求項１５】
移動通信端末機が現在の移動通信端末機の加入者識別パラメータを含んで構成された登録メッセージ又は発信メッセージをネットワークに送信する段階と、
前記ネットワークから前記加入者識別パラメータに対応する転送情報を含んで構成されたＡＣＫメッセージを受信する段階と、
前記ＡＣＫメッセージを受信して転送情報を更新し、前記受信したＡＣＫメッセージに含まれた転送情報を示す通知情報をユーザに通知する段階と、
を含んで構成されたことを特徴とする移動通信端末機における転送情報の通知方法。
【請求項１６】
前記加入者識別パラメータは、前記移動通信端末機に差し込まれたＵＩＭカードの加入者識別パラメータであり、加入者識別番号を含んで構成されたことを特徴とする請求項１５に記載の移動通信端末機における転送情報の通知方法。
【請求項１７】
前記転送情報が、転送加入の有無及び転送方式に関する情報を含んで構成されたことを特徴とする請求項１５に記載の移動通信端末機における転送情報の通知方法。
【請求項１８】
前記転送方式が、話中転送、無応答転送、無条件転送、非加入転送のいずれか１つであることを特徴とする請求項１７に記載の移動通信端末機における転送情報の通知方法。
【請求項１９】
前記通知情報が、転送タイプアイコン、転送案内文、及び転送音声案内のいずれか１つを含んで構成されたことを特徴とする請求項１５に記載の移動通信端末機における転送情報の通知方法。
【請求項２０】
前記転送タイプアイコンが、多様なデザイン及び動きを有するエモーティコンに選択的に変更して設定されることを特徴とする請求項１９に記載の移動通信端末機における転送情報の通知方法。
【請求項２１】
初期化過程で、現在差し込まれているＵＩＭカードの情報を読み出す段階と、
前記読み出したＵＩＭカードの情報から加入者識別パラメータを抽出して、既に保存されている加入者識別パラメータとは別個に保存する段階と、
登録メッセージ又は発信メッセージを送信するか否かを判断する段階と、
前記登録メッセージ又は発信メッセージを送信する場合、前記現在差し込まれているＵＩＭカードの加入者識別パラメータと、前記既に保存されている加入者識別パラメータとが一致するか否かを判断する段階と、
前記現在差し込まれているＵＩＭカードの加入者識別パラメータと、前記既に保存されている加入者識別パラメータとが一致しない場合、前記登録メッセージ又は発信メッセージに、前記現在差し込まれているＵＩＭカードの加入者識別パラメータを含ませてネットワークに送信する段階と、
前記ネットワークから前記現在差し込まれているＵＩＭカードの加入者識別パラメータに対応する転送情報を含んで構成されたＡＣＫメッセージを受信する段階と、
前記ＡＣＫメッセージを受信して、前記既に保存されている加入者識別パラメータに対応する転送情報を、前記受信した転送情報に更新し、該更新した転送情報を示す通知情報をユーザに通知する段階と、
を含んで構成されたことを特徴とする移動通信端末機における転送情報の通知方法。
【請求項２２】
前記加入者識別パラメータは、前記移動通信端末機に差し込まれたＵＩＭカードの加入者識別パラメータであり、加入者識別番号を含んで構成されることを特徴とする請求項２１に記載の移動通信端末機における転送情報の通知方法。
【請求項２３】
前記転送情報が、転送加入の有無及び転送方式に関する情報を含んで構成されたことを特徴とする請求項２１に記載の移動通信端末機における転送情報の通知方法。
【請求項２４】
前記転送方式が、話中転送、無応答転送、無条件転送、非加入転送のいずれか１つであることを特徴とする請求項２３に記載の移動通信端末機における転送情報の通知方法。
【請求項２５】
前記通知情報が、転送タイプアイコン、転送案内文、及び転送音声案内のいずれか１つを含んで構成されたことを特徴とする請求項２１に記載の移動通信端末機における転送情報の通知方法。
【請求項２６】
前記転送タイプアイコンが、多様なデザイン及び動きを有するエモーティコンに選択的に変更して設定されることを特徴とする請求項２５に記載の移動通信端末機における転送情報の通知方法。
【請求項２７】
前記現在差し込まれているＵＩＭカードの加入者識別パラメータと、前記既に保存されている加入者識別パラメータとが一致するか否かを判断する段階において、
前記現在差し込まれているＵＩＭカードの加入者識別パラメータと、前記既に保存されている加入者識別パラメータとが一致する場合、前記既に保存されている加入者識別パラメータに対応する転送情報を示す通知情報をユーザに通知する段階と、
を含んで構成されたことを特徴とする請求項２１に記載の移動通信端末機における転送情報の通知方法。
【発明の詳細な説明】
【技術分野】
【０００１】
本発明は、移動通信端末機に関し、特に、転送情報（call forwarding information）をユーザに通知する移動通信端末機及びその通知方法に関する。
【背景技術】
【０００２】
一般に、転送サービス（call forwarding service）とは、かかってきた呼を指定された同一加入区域内の他の番号に接続するサービスをいう。
【０００３】
転送サービスにおいて、移動通信端末機のユーザが設定できる転送方式としては、話中転送（call forwarding busy：ＢＵＳＹ）、無応答転送（call forwarding not answer：ＮＯＴ ＡＮＳＷＥＲ）、無条件転送（call forwarding unconditional：ＵＮＣＯＮＤＩＴＩＯＮＡＬ）などがある。ユーザが、転送サービスに加入しておらず、転送サービスが提供されていない場合は、非加入（デフォルト）転送（call forwarding default：ＤＥＦＡＵＬＴ）に指定される。「ＢＵＳＹ」方式は、移動通信端末機のユーザが通話中の場合に、指定された番号に転送する方式であり、「ＮＯＴ ＡＮＳＷＥＲ」方式は、移動通信端末機のユーザが応答しない場合、すなわち、電話に出ない場合に、指定された番号に転送する方式であり、「ＵＮＣＯＮＤＩＴＩＯＮＡＬ」方式は、無条件で直ちに指定された番号に転送する方式である。
【０００４】
移動通信端末機の画面には、これら転送方式にそれぞれ対応させた異なるアイコン（転送タイプアイコン）が、その転送時や転送サービスを受けている際に表示される。以下、従来技術において、転送サービスの申請後、転送タイプアイコンが移動通信端末機の画面に表示される過程について説明する。
【０００５】
ユーザが、移動通信端末機のメニューを操作して所望の転送方式を選択し、転送サービスを申請すると、移動通信端末機は、転送サービスの加入又は変更を要求する呼をネットワークに送信する。この呼を受信したネットワークは、ホームロケーションレジスタ（Home Location Register：ＨＬＲ）に転送方式などの転送に関する情報を保存する。その後、ネットワークは、ＨＬＲに保存された転送方式に基づく転送サービスを開始する。
【０００６】
移動通信端末機は、転送サービスを申請する際、選択した転送方式に関する情報をメモリに保存し、その転送時等に、メモリに保存した転送方式にマッチングする転送タイプアイコンを画面に表示する。このように移動通信端末機の画面に表示される転送タイプアイコンは、単に、移動通信端末機のメモリに保存された情報に基づくものであるため、実際にネットワークから提供される転送サービスとは連動していない。つまり、移動通信端末機によって設定された転送方式に関する情報が、ネットワークのＨＬＲに登録されても、その転送方式に関する情報が、移動通信端末機に送信されることはない。これは、従来、ネットワークと移動通信端末機との間に転送情報を送受信するプロトコルが存在していなかったためである。
【発明の開示】
【発明が解決しようとする課題】
【０００７】
このため、ユーザ識別モジュール（User Identity Module：ＵＩＭ）カードを使用する移動通信端末機においては、ＵＩＭカードが移動通信端末機の番号情報等を有するため、他のＵＩＭカードに交換した場合、ユーザが再び転送サービスを申請又は変更しなければ、その転送時等に、移動通信端末機の画面には実際の転送方式にマッチングした転送タイプアイコンが表示されないことになる。
【０００８】
例えば、転送サービスに加入していない「Ａ」が、自身のＵＩＭカードを装着した移動通信端末機で、転送方式を「ＢＵＳＹ」に選択し、転送サービスの加入を申請した場合、その移動通信端末機は、転送サービスの加入を要求する呼を移動通信システムに送信する。この呼を受信した移動通信システムは、「Ａ」の転送方式を「ＢＵＳＹ」に設定してＨＬＲに保存し、「ＢＵＳＹ」方式の転送サービスを開始する。移動通信端末機は、転送方式「ＢＵＳＹ」をメモリに保存し、その転送時に、「ＢＵＳＹ」方式に該当するアイコンを端末機の画面に表示する。
【０００９】
このような状況下で、その移動通信端末機のＵＩＭカードを交換すると（例えば、移動通信システムの「ＮＯＴ ＡＮＳＷＥＲ」方式の転送サービスに加入している「Ｂ」のＵＩＭカードに交換すると）、移動通信システムは、位置登録過程などを経て移動通信端末機のユーザが「Ｂ」に変わったことを認識して、「ＮＯＴ ＡＮＳＷＥＲ」方式の転送サービスを提供する。しかし、移動通信端末機は、転送方式が「ＢＵＳＹ」から「ＮＯＴ ＡＮＳＷＥＲ」に変更したことを認識できないため、その転送時等であっても、初期設定時にメモリに保存された「ＢＵＳＹ」方式にマッチングする転送タイプアイコンを画面に表示する。従って、移動通信端末機の画面に表示される転送タイプアイコンと、実際にサービスされる転送方式とがマッチングしないことになる。
【００１０】
すなわち、従来技術では、移動通信端末機に装着したＵＩＭカードを交換した場合、移動通信端末機は、新たに差し込まれたＵＩＭカードに対応する転送サービスの加入有無及び転送方式を判断できないため、新たなＵＩＭカードの電話番号にマッチングする転送情報を画面に表示することができないという問題があった。
【００１１】
本発明は、このような従来技術の問題を解決するためになされたもので、ネットワークと連動した転送情報をユーザに通知することができる移動通信端末機及びその通知方法を提供することを目的とする。
【００１２】
また、本発明の他の目的は、ＵＩＭカードを装着した移動通信端末機において、その装着されたＵＩＭカードの転送情報を示す通知情報を通知することができる移動通信端末機及びその通知方法を提供することにある。
【課題を解決するための手段】
【００１３】
上記目的を達成するために、本発明による転送情報をユーザに通知する移動通信端末機は、ネットワークと信号を送受信する送受信部と、転送情報を含むデータを保存する保存部と、ユーザ識別モジュール（ＵＩＭ）カードが差し込まれるＵＩＭ部と、前記送受信部、保存部及びＵＩＭ部を制御し、前記ＵＩＭ部に差し込まれたＵＩＭカードの加入情報に対応する転送情報を、前記送受信部を介して前記ネットワークから受信して前記保存部に保存されている転送情報を更新し、該更新した転送情報を示す通知情報をユーザに通知するように制御する制御部と、を含んで構成されたことを特徴とする。
【００１４】
好ましくは、前記制御部は、登録メッセージ又は発信メッセージを前記ネットワークに送信するとき、前記登録メッセージ又は発信メッセージに、前記ＵＩＭ部に現在差し込まれているＵＩＭカードの加入情報を含ませて送信するとよい。また、前記制御部は、前記ＵＩＭカードの加入情報に対応する転送情報を含んで構成されたＡＣＫメッセージを、前記送受信部を介して前記ネットワークから受信するとよい。ここで、前記ＵＩＭカードの加入情報は、前記ＵＩＭカードの加入者識別番号を含んで構成された加入者識別パラメータであるとよい。
【００１５】
前記制御部は、前記受信したＡＣＫメッセージに含まれた転送情報を抽出して前記保存部に保存するとよい。また、前記制御部は、前記保存部に転送情報を保存した後、直ちに、その転送情報を示す通知情報をユーザに通知するとよい。さらに、前記制御部は、転送時に、前記転送情報を示す通知情報をユーザに通知するようにしてもよい。
【００１６】
前記通知情報が、転送タイプアイコン、転送案内文、又は転送音声案内のいずれか１つを含んで構成され、ディスプレイ表示又はスピーカ出力されてユーザに通知されると好ましい。前記転送タイプアイコンが、多様なデザイン及び動きを有するエモーティコンに選択的に変更して設定されるとよい。
【００１７】
好ましくは、前記制御部は、前記ＵＩＭ部に差し込まれたＵＩＭカードの情報と、前記保存部に既に保存されたＵＩＭカードの情報とが同一である場合、前記ネットワークからの転送情報を受信せずに、前記保存部に保存された転送情報を示す通知情報をユーザに通知するとよい。
【００１８】
前記転送情報は、転送加入の有無及び転送方式に関する情報を含んで構成されるとよい。前記転送方式は、話中転送、無応答転送、無条件転送、非加入転送のいずれか１つであるとよい。
【００１９】
以上の本発明に従う移動通信端末機は、キーパッド、マイクロホン、タッチスクリーンを含んで構成された入力手段と、外部入力手段に接続されて信号が入力される入力端子と、をさらに含んで構成されるとよい。同様に、ディスプレイパネル、スピーカを含んで構成された出力手段と、外部ディスプレイ装置に接続されて信号を出力する出力端子と、をさらに含んで構成されるとよい。
【００２０】
また、上記目的を達成するために、本発明による移動通信端末機における転送情報の通知方法は、移動通信端末機が現在の移動通信端末機の加入者識別パラメータを含んで構成された登録メッセージ又は発信メッセージをネットワークに送信する段階と、前記ネットワークから前記加入者識別パラメータに対応する転送情報を含んで構成されたＡＣＫメッセージを受信する段階と、前記ＡＣＫメッセージを受信して転送情報を更新し、前記受信したＡＣＫメッセージに含まれた転送情報を示す通知情報をユーザに通知する段階と、を含んで構成されたことを特徴とする。
【００２１】
この方法では、前記加入者識別パラメータは、前記移動通信端末機に差し込まれたＵＩＭカードの加入者識別パラメータであり、加入者識別番号を含んで構成されるとよい。前記転送情報は、転送加入の有無及び転送方式に関する情報を含んで構成されるとよい。前記転送方式は、話中転送、無応答転送、無条件転送、非加入転送のいずれか１つであるとよい。
【００２２】
前記通知情報が、転送タイプアイコン、転送案内文、及び転送音声案内のいずれか１つを含んで構成されるとよい。この場合、前記転送タイプアイコンが、多様なデザイン及び動きを有するエモーティコンに選択的に変更して設定されるとよい。
【００２３】
さらに、上記目的を達成するために、本発明による移動通信端末機における転送情報の通知方法は、初期化過程で、現在差し込まれているＵＩＭカードの情報を読み出す段階と、前記読み出したＵＩＭカードの情報から加入者識別パラメータを抽出して、既に保存されている加入者識別パラメータとは別個に保存する段階と、登録メッセージ又は発信メッセージを送信するか否かを判断する段階と、前記登録メッセージ又は発信メッセージを送信する場合、前記現在差し込まれているＵＩＭカードの加入者識別パラメータと、前記既に保存されている加入者識別パラメータとが一致するか否かを判断する段階と、前記現在差し込まれているＵＩＭカードの加入者識別パラメータと、前記既に保存されている加入者識別パラメータとが一致しない場合、前記登録メッセージ又は発信メッセージに、前記現在差し込まれているＵＩＭカードの加入者識別パラメータを含ませてネットワークに送信する段階と、前記ネットワークから前記現在差し込まれているＵＩＭカードの加入者識別パラメータに対応する転送情報を含んで構成されたＡＣＫメッセージを受信する段階と、前記ＡＣＫメッセージを受信して、前記既に保存されている加入者識別パラメータに対応する転送情報を、前記受信した転送情報に更新し、該更新した転送情報を示す通知情報をユーザに通知する段階と、を含んで構成されたことを特徴とする。
【００２４】
好ましくは、前記加入者識別パラメータは、前記移動通信端末機に差し込まれたＵＩＭカードの加入者識別パラメータであり、加入者識別番号を含んで構成されるとよい。
【００２５】
好ましくは、前記転送情報は、転送加入の有無及び転送方式に関する情報を含んで構成されるとよい。前記転送方式は、話中転送（ＢＵＳＹ）、無応答転送（ＮＯＴ ＡＮＳＷＥＲ）、無条件転送（ＵＮＣＯＮＤＩＴＩＯＮＡＬ）、非加入転送（ＤＥＦＡＵＬＴ）のいずれか１つであるとよい。
【００２６】
好ましくは、前記通知情報が、転送タイプアイコン、転送案内文、及び転送音声案内のいずれか１つを含んで構成されるとよい。この場合、前記転送タイプアイコンが、多様なデザイン及び動きを有するエモーティコンに選択的に変更して設定されるとよい。
【００２７】
好ましくは、前記現在差し込まれているＵＩＭカードの加入者識別パラメータと、前記既に保存されている加入者識別パラメータとが一致するか否かを判断する段階において、前記現在差し込まれているＵＩＭカードの加入者識別パラメータと、前記既に保存されている加入者識別パラメータとが一致する場合、前記既に保存されている加入者識別パラメータに対応する転送情報を示す通知情報をユーザに通知する段階と、を含んで構成されるとよい。
【発明の効果】
【００２８】
本発明の転送情報を通知する移動通信端末機及びその通知方法によれば、加入者識別パラメータを含む登録メッセージ又は発信メッセージをネットワークに送信し、このネットワークから加入者識別パラメータに対応する転送情報を含んで構成されたＡＣＫメッセージを受信して、転送情報を更新し、ネットワークと移動通信端末機との連動した転送情報をユーザに通知することにより、移動通信端末機のユーザが自身の転送情報をリアルタイムに正確に認識することができるという効果がある。
【００２９】
また、本発明による転送情報を通知する移動通信端末機及びその通知方法は、現在、差し込まれているＵＩＭカードの転送情報を示す通知情報をユーザに通知することにより、ＵＩＭカードが交換された場合、新たに装着されたＵＩＭカードに対応する加入者の転送サービスの加入有無及び転送方式を判断できず、新たに差し込まれたＵＩＭカードの電話番号にマッチングする転送情報を通知できないといった従来の問題を防止することができる効果がある。
【発明を実施するための最良の形態】
【００３０】
以下、添付図面を参照して本発明の好ましい一実施形態を説明する。以下の説明において、関連する公知機能や構成に関する具体的な説明が、本発明の要旨を不明確にすると判断される場合、その詳細な説明を適宜省略する。
【００３１】
図１は、本発明の一実施形態に係る転送情報を提供する移動通信端末機の構成を示す構成図である。
【００３２】
図１に示すように、移動通信端末機１００は、移動通信網や公衆網などのネットワークと信号を送受信する送受信部１１０と、転送情報を含むデータを保存する保存部１２０と、ＵＩＭカード１３５を差し込んで装着するＵＩＭ部１３０と、各構成要素を制御し、ＵＩＭ部１３０に差し込まれたＵＩＭカード１３５の加入情報に対応する転送情報を、送受信部１１０を介してネットワークから受信して転送情報を更新し、その転送情報の受信時、サービス時、転送時等に、転送情報を示す通知情報をユーザに通知するように制御する制御部１４０と、を含んで構成されている。
【００３３】
また、移動通信端末機１００は、キーパッド、マイクロホン、タッチスクリーンなどの入力手段と、キーボードなどの外部入力手段に接続されて信号が入力される入力端子と、をさらに含んで構成される。
【００３４】
さらに、移動通信端末機１００は、ディスプレイパネルやスピーカなどの出力手段と、テレビやモニタなどの外部ディスプレイ装置に接続されて信号を出力する出力端子と、をさらに含んで構成される。
【００３５】
制御部１４０は、登録メッセージ（registration message）又は発信メッセージ（origination message）をネットワークに送信する際、この登録メッセージ又は発信メッセージに、現在ＵＩＭ部１３０に差し込まれているＵＩＭカード１３５に記録されたユーザ固有番号などのユーザ識別パラメータを含ませて送信する。また、制御部１４０は、ユーザ識別パラメータに対応する転送情報を、ネットワークからＡＣＫメッセージなどを介して受信する。
【００３６】
移動通信端末機１００の電源をオフにした後、再度オンにした場合、他の基地局のサービスエリアに移動した場合、ユーザにより移動通信端末機１００の設定が変更された場合（ＵＩＭカードが交換された場合を含む）等に、基地局からの強制指示によって又は所定の時間周期で、ネットワークへの登録過程が実行される。この際、制御部１４０は、登録メッセージを送受信部１１０を介してネットワークに送信する。また、移動通信端末機１００が呼を送信する場合には、制御部１４０は、発信メッセージを送受信部１１０を介してネットワークへ送信する。
【００３７】
このように、登録メッセージ又は発信メッセージをネットワークに送信する際に、制御部１４０は、登録メッセージ又は発信メッセージに、現在、ＵＩＭ部１３０に差し込まれているＵＩＭカード１３５に記録されたユーザ識別パラメータを含ませて送信する。この登録メッセージ又は発信メッセージを受信したネットワークは、登録メッセージ又は発信メッセージに含まれたユーザ識別パラメータに基づいて、ＨＬＲに保存された該当加入者の転送情報を検索し、その結果をＡＣＫメッセージに含ませて移動通信端末機１００に送信する。制御部１４０は、転送情報を含んで構成されたＡＣＫメッセージを、ネットワークから送受信部１１０を介して受信し、この受信したＡＣＫメッセージに含まれた転送情報を抽出して保存部１２０に保存する。
【００３８】
この際、制御部１４０は、転送情報を抽出して保存部１２０に保存し、直ちに（ＡＣＫメッセージの受信時）や転送時等に、その保存した転送情報にマッチングする（示す）通知情報を表示又は出力してユーザに通知する。例えば、保存した転送情報にマッチングする転送タイプアイコンをディスプレイに表示したり、保存した転送情報にマッチングする案内文をディスプレイに表示し、又は、音声案内（「話中転送（実行中です）」など）をスピーカから出力する。このようなアイコン表示、案内文表示又は音声案内の出力の他にも、ユーザに転送実行中であることを通知して認識させるためにランプを点滅させたり、又は振動（バイブ）を制御して知らせるようにしてもよい。転送タイプアイコンを、多様なデザイン及び動きを有するエモーティコン（emoticon）に変更して設定することもできる。
【００３９】
制御部１４０は、保存部１２０に保存されたＵＩＭカードの情報に基づいて、現在ＵＩＭ部１３０に差し込まれているＵＩＭカード１３５の情報が、保存部１２０に既に保存されたＵＩＭカードの情報と一致するか否かを判断する。情報が一致する場合は、登録メッセージ又は発信メッセージに、ＵＩＭカード１３５のユーザ識別パラメータを含ませなくてもよい。すなわち、現在ＵＩＭ部１３０に差し込まれているＵＩＭカード１３５の情報が、保存部１２０に既に保存されたＵＩＭカードの情報と一致する場合、ネットワークからの転送情報を受信せず、保存部１２０に既に保存されている転送情報を利用する。従って、保存部１２０は、制御部１４０の制御による以前の登録過程などで得たユーザ識別番号などのユーザ識別パラメータを含んで構成されたＵＩＭカードの情報を保存する。
【００４０】
ＡＣＫメッセージに転送関連フィールドとして、下記の表１のような特定フィールドを追加することにより、ネットワークのＨＬＲに保存された該当加入者（ユーザ識別パラメータ）の転送情報をＡＣＫに含ませることができる。これは、ネットワークのＨＬＲなどで行われる。
【表１】
2007037130.tif 000003
【００４１】
図２は、本発明の一実施形態に従う移動通信端末機が実行する転送情報の通知方法を示すフローチャートである。
【００４２】
図２に示すように、移動通信端末機は、登録メッセージ又は発信メッセージをネットワークに送信する場合、この登録メッセージ又は発信メッセージに、移動通信端末機に現在差し込まれているＵＩＭカードの加入者識別パラメータを含ませてネットワークに送信する（Ｓ２１０）。その後、移動通信端末機は、ネットワークから加入者識別パラメータに対応する転送情報を含んで構成されたＡＣＫメッセージを受信して転送情報を更新し（Ｓ２２０）、そのＡＣＫメッセージの受信時や転送時等に、更新した転送情報を示す通知情報を、ディスプレイに表示又は音声案内で出力してユーザに通知する（Ｓ２３０）。
【００４３】
これにより、移動通信端末機のユーザは、転送サービスへの加入状況、選択した転送サービスの方式や種類、転送サービスが開始されているか否か、どの転送方式を実行しているのか等を確認することができる。
【００４４】
図３は、本発明の他の実施形態に従う移動通信端末機が実行する転送情報の通知方法を示すフローチャートである。
【００４５】
図３に示すように、移動通信端末機は、初期化過程で、差し込まれたＵＩＭカードの情報を読み出し（Ｓ３１０）、この読み出したＵＩＭカードの情報から加入者識別パラメータを抽出し、既に保存されているＵＩＭカードの加入者識別パラメータとは別個に保存する（Ｓ３２０）。
【００４６】
その後、登録メッセージ又は発信メッセージをネットワークに送信するか否かを判断する（Ｓ３３０）。登録メッセージ又は発信メッセージを送信する場合は、現在差し込まれているＵＩＭカードの加入者識別パラメータと、既に保存されている加入者識別パラメータとが一致するか否かを判断する（Ｓ３４０）。
【００４７】
次に、移動通信端末機は、現在差し込まれているＵＩＭカードの加入者識別パラメータと、既に保存された加入者識別パラメータとが一致すると判断した場合、既に保存されている転送情報を示す通知情報をディスプレイに表示又は音声案内で出力してユーザに通知する（Ｓ３５０）。一方、現在差し込まれているＵＩＭカードの加入者識別パラメータと、既に保存されている加入者識別パラメータとが一致しない場合、登録メッセージ又は発信メッセージに、現在差し込まれているＵＩＭカードの加入者識別パラメータを含ませて、ネットワークに送信する（Ｓ３６０）。
【００４８】
その後、移動通信端末機は、ネットワークから加入者識別パラメータに対応する転送情報を含んで構成されたＡＣＫメッセージを受信して転送情報を更新し（Ｓ３７０）、受信したＡＣＫメッセージに含まれた転送情報を示す通知情報をユーザに通知する（Ｓ３８０）。
【００４９】
以上、本発明の実施形態を添付図面に基づいて説明したが、これは例示にすぎず、本発明の属する技術の分野における通常の知識を有する者であれば、これらから多様な変形及び均等な他の実施形態が可能であることは自明である。従って、本発明の権利範囲は、添付した特許請求の範囲の技術的思想により決定されるべきである。
【図面の簡単な説明】
【００５０】
【図１】本発明の一実施形態による転送情報を通知する移動通信端末機の構成を示す構成図である。
【図２】本発明の一実施形態による移動通信端末機が実行する転送情報の通知方法を示すフローチャートである。
【図３】本発明の他の実施形態による移動通信端末機が実行する転送情報の通知方法を示すフローチャートである。
【符号の説明】
【００５１】
１１０  送受信部
１２０  保存部
１３０  ＵＩＭ部
１３５  ＵＩＭカード
１４０  制御部
【図１】
2007037130.tif 000004
【図２】
2007037130.tif 000005
【図３】
2007037130.tif 000006